(57)【要約】【課題】危険を伴うことなく、確実にエレベータ用機器の点検作業を行うことができるエレベータ用機器の点検作業台の提供。【解決手段】エレベータ用機器２の下方に配置されて昇降路１の壁に固定された固定ベース３と、この固定ベース３の一端に設けられた支点１０を中心に回転する作業台１５と、この作業台１５を固定ベース３に対して垂直に支持する支柱５とを備え、作業台１５上でエレベータ用機器２の点検を行い、使用しないときに支柱５を取り外して作業台１５を折り畳み収納するエレベータ用機器２の点検作業台において、作業台１５は、支柱５に支持されるベース４と、このベース４の上方に配置され、ベース４に対向する直方体から成る踏台６と、ベース４と踏台６との間に設けられて踏台６を回転可能に支持する回転軸８とを備えた。【選択図】図１
2010241534.tif 000002
【特許請求の範囲】
【請求項１】
エレベータ用機器の下方に配置されて昇降路の壁に固定された固定ベースと、この固定ベースの一端に設けられた支点を中心に回転する作業台と、この作業台を前記固定ベースに対して垂直に支持する支柱とを備え、前記作業台上で前記エレベータ用機器の点検を行い、使用しないときに前記支柱を取り外して前記作業台を折り畳み収納するエレベータ用機器の点検作業台において、
前記作業台は、前記支柱に支持されるベースと、このベースの上方に配置され、前記ベースに対向する直方体から成る踏台と、前記ベースと前記踏台との間に設けられて前記踏台を回転可能に支持する回転軸とを備えたことを特徴とするエレベータ用機器の点検作業台。
【請求項２】
請求項１に記載のエレベータ用機器の点検作業台において、前記回転軸を前記踏台の中心からずらして設けたことを特徴とするエレベータ用機器の点検作業台。
【発明の詳細な説明】
【技術分野】
【０００１】
本発明は、昇降路に設けられたエレベータ用機器の点検に好適なエレベータ用機器の点検作業台に関する。
【背景技術】
【０００２】
エレベータの昇降路内のピットから手の届かない場所に設置されたエレベータ用機器を点検する場合は、作業者の足場を確保する点検作業台が必要となる。しかし、昇降路内は乗りかごが昇降するので点検作業台が昇降路内に固定的に設置されていると、乗りかごが点検作業台と接触して乗りかごと点検作業台が破損する虞がある。
【０００３】
そこで、エレベータ用機器の下方に配置されて昇降路の壁に固定されたベースとしての固定ベースと、この固定ベースの一端に設けられた支点を中心に回転する作業台としての踏台と、この踏台を固定ベースに対して垂直に支持する支柱とを備え、作業台上でエレベータ用機器の点検を行い、使用しないときに支柱を取り外して作業台を折り畳み収納するエレベータ装置が提案されている（例えば、特許文献１参照）。
【先行技術文献】
【特許文献】
【０００４】
【特許文献１】特開２００１−１９９６４７号公報
【発明の概要】
【発明が解決しようとする課題】
【０００５】
しかし、上述した特許文献１に開示された従来のエレベータ装置では、作業台がエレベータ用機器の下方に配置されるので、エレベータ用機器の下方に昇降路の固定部材等がある場合に作業台の横幅が収納スペースの横幅以下に制限される。そのため、エレベータ用機器の横幅に比して作業台の横幅が小さくなるので、エレベータ用機器のうち作業台より外側の部分を点検する場合に作業員が作業台から身を乗り出して点検する必要があり、危険を伴う。また、エレベータ用機器のうち作業台から届かない部分が生じ、この部分に対しては点検作業を行うことができない。このように、エレベータ用機器の点検作業の安全性及び作業性が低い問題がある。
【０００６】
本発明は、このような従来技術の実情に鑑みてなされたもので、その目的は、危険を伴うことなく、確実にエレベータ用機器の点検作業を行うことができるエレベータ用機器の点検作業台を提供することにある。
【課題を解決するための手段】
【０００７】
上記の目的を達成するために、本発明のエレベータ用機器の点検作業台は、エレベータ用機器の下方に配置されて昇降路の壁に固定された固定ベースと、この固定ベースの一端に設けられた支点を中心に回転する作業台と、この作業台を前記固定ベースに対して垂直に支持する支柱とを備え、前記作業台上で前記エレベータ用機器の点検を行い、使用しないときに前記支柱を取り外して前記作業台を折り畳み収納するエレベータ用機器の点検作業台において、前記作業台は、前記支柱に支持されるベースと、このベースの上方に配置され、前記ベースに対向する直方体から成る踏台と、前記ベースと前記踏台との間に設けられて前記踏台を回転可能に支持する回転軸とを備えたことを特徴としている。
【０００８】
このように構成した本発明は、直方体から成る踏台がベースに対して回転軸の周りに回転することができるので、作業台が使用されない非点検作業時には踏台をベースに対して回転させて踏台の短辺を収納スペースに合わせ、支柱を取り外して作業台をエレベータ用機器の下方に折り畳むことにより、エレベータ用機器の下方に昇降路の固定部材等がある場合でも作業台を収納することができる。
【０００９】
そして、作業台が使用される点検作業時には支柱を取り付けてベースを固定ベースに対して垂直に支持し、踏台をベースに対して回転させて踏台の長辺をエレベータ用機器に合わせることにより、踏台の横幅をエレベータ用機器の横幅よりも大きくすることができる。これにより、作業員が作業台から身を乗り出すことなく、作業台上で安全かつ確実にエレベータ用機器の点検作業を行うことができる。このように、作業台の横幅が収納スペースの横幅以下に制限されても、危険を伴うことなく、確実にエレベータ用機器の点検作業を行うことができる。
【００１０】
本発明に係るエレベータ用機器の点検作業台は、前記回転軸を前記踏台の中心からずらして設けたことを特徴としている。このように構成すると、エレベータ用機器の点検作業を行うときにエレベータ用機器と踏台との間の間隔を小さくすることができるので、作業員が作業台から前に乗り出すことを防ぐことができると共に、作業台上からのエレベータ用機器の点検作業を容易に行うことができる。
【発明の効果】
【００１１】
本発明のエレベータ用機器の点検作業台では、作業台は、支柱に支持されるベースと、このベースの上方に配置され、ベースに対向する直方体から成る踏台と、ベースと踏台との間に設けられて踏台を回転可能に支持する回転軸とを備えている。このように構成した作業台が使用されない非点検作業時には、踏台をベースに対して回転させて踏台の短辺を収納スペースに合わせ、作業台が使用される点検作業時には、踏台をベースに対して回転させて踏台の長辺をエレベータ用機器に合わせることにより、エレベータ用機器の下方に折り畳み収納可能な状態からエレベータ用機器の点検作業時に踏台の横幅をエレベータ用機器の横幅よりも大きくすることができる。これにより、作業員が作業台から身を乗り出すことなく、作業台上で確実にエレベータ用機器の点検作業を行うことができ、エレベータ用機器の点検作業の安全性及び作業性を向上することができる。
【図面の簡単な説明】
【００１２】
【図１】本発明に係るエレベータ用機器の点検作業台の第１実施形態の構成を示す側面図である。
【図２】図１に示す本発明の第１実施形態の収納時の状態を示す側面図である。
【図３】図１のＡ−Ａ線に沿う本発明の第１実施形態の使用時の状態を示す断面図であり、（ａ）図は踏台がベースに対して位相が同一のときの状態を示す図、（ｂ）図は踏台がベースに対して位相が９０度異なるときの状態を示す図である。
【図４】図１のＡ−Ａ線に沿う本発明の第２実施形態の使用時の状態を示す断面図であり、（ａ）図は踏台がベースに対して位相が同一のときの状態を示す図、（ｂ）図は踏台がベースに対して位相が９０度異なるときの状態を示す図である。
【発明を実施するための形態】
【００１３】
以下、本発明に係るエレベータ用機器の点検作業台を実施するための形態を図に基づいて説明する。
【００１４】
［第１実施形態］
図１は本発明に係るエレベータ用機器の点検作業台の第１実施形態の構成を示す側面図、図２は図１に示す本発明の第１実施形態の収納時の状態を示す側面図、図３は図１のＡ−Ａ線に沿う本発明の第１実施形態の使用時の状態を示す断面図であり、（ａ）図は踏台がベースに対して位相が同一のときの状態を示す図、（ｂ）図は踏台がベースに対して位相が９０度異なるときの状態を示す図である。
【００１５】
本発明に係るエレベータ用機器の点検作業台は、図１に示すように、エレベータの昇降路１内の壁に取り付けられたエレベータ用機器２の下方に備えられ、エレベータ用機器２の下方に配置されて昇降路１の壁に固定された固定ベース３と、この固定ベース３の一端に設けられた支点１０を中心に回転する作業台１５と、この作業台１５を固定ベース３に対して垂直に支持する支柱５とを備えている。
【００１６】
作業台１５は、支柱５に支持されるベース４、例えば支柱５の一端を固定ベース３の凹部２０に係合して中央が他端に支持されるベース４と、このベース４の上方に配置され、ベース４に対向する直方体から成る踏台６、例えば短辺の長さがベース４の短辺の長さと等しく、長辺の長さがエレベータ用機器２の横幅と等しい直方体から成る踏台６と、ベース４と踏台６との間に設けられて踏台６を回転可能に支持する回転軸８、例えばベース４の中央上面に取り付けられ、回転軸８よりも径が大きく踏台６の幅よりも径が小さい円板１６を介して踏台６を回転可能に支持する回転軸８とを備えている。
【００１７】
また、踏台６の裏面には一対のフック７が互いに対向して取り付けられ、踏台６はこれらのフック７で円板１６を外側から挟むように係合している。さらに、円板１６の下面には４つのストッパ９ａ，９ｂが回転軸８の周りに等間隔で交互に取り付けられており、一対のフック７が各ストッパ９ａ，９ｂにそれぞれ当接することによって踏台６がベース４に対して回転する角度が９０度以下に限定されている。なお、支柱５は一端がベース４の中央に連結されており、ベース４の中央の支点１１の周りに回動可能となっている。
【００１８】
ここで、便宜的に踏台６の長手方向とベース４の長手方向が平行する状態を位相が同一の状態、踏台６の長手方向とベース４の長手方向が直交する状態を位相が９０度異なる状態と呼ぶことにする。
【００１９】
図２に示すように、本発明の第１実施形態を使用しない非点検作業の場合、支柱５を固定ベース３の凹部２０から取り外して作業台１５を位相が同一の状態でエレベータ用機器２の下方に折り畳み収納している。
【００２０】
本発明の第１実施形態を使用する点検作業の場合、図１に示すように、まず支柱５を固定ベース３の凹部２０に係合させて作業台１５を固定ベース３に対して垂直に支持する。このとき、図３（ａ）図に示すように、フック７がストッパ９ａと当接しており、作業台１５は位相が同一の状態となっている。次に、図３（ｂ）図に示すように、踏台６をベース４に対して９０度回転させる。このとき、フック７がストッパ９ａの隣に位置するストッパ９ｂに当接し、作業台１５は位相が９０度異なる状態となる。この状態で、作業員は踏台６の上からエレベータ用機器２の点検作業を行う。
【００２１】
このように構成した本発明の第１実施形態によれば、作業台１５を使用しない非点検作業の場合には踏台６をベース４に対して回転させて作業台１５を位相が同一の状態とし、支柱５を固定ベース３の凹部２０から取り外して作業台１５をエレベータ用機器２の下方に折り畳むことにより、エレベータ用機器２の下方に昇降路１の固定部材等がある狭い場所であっても作業台１５をコンパクトに収納することができる。
【００２２】
そして、作業台１５を使用する点検作業の場合には支柱５を固定ベース３の凹部２０に係合させてベース４を固定ベース３に対して垂直に支持し、踏台６をベース４に対して回転させて作業台１５を位相が９０度異なる状態とすることにより、踏台６の横幅をエレベータ用機器２の横幅に合わせることができる。これにより、作業員が作業台１５から身を乗り出すことなく、作業台１５上で安全かつ確実にエレベータ用機器２の点検作業を行うことができる。このように、作業台１５の横幅が収納スペースの横幅以下に制限されても、危険を伴うことなく、安全かつ確実にエレベータ用機器２の点検作業を行うことができ、エレベータ用機器２の点検作業の安全性及び作業性を向上することができる。
【００２３】
また、本発明の第１実施形態は、踏台６が一対のフック７で円板１６を外側から挟むように係合しているので、踏台６がベース４から外れることなく踏台６をベース４に対してスムーズに回転させることができる。これにより、作業台１５の構造上の高い安定性を確保することができる。
【００２４】
また、本発明の第１実施形態は、円板１６の下面に取り付けられた４つのストッパ９ａ，９ｂに踏台６のフック７が当接することにより、踏台６がベース４に対して回転する角度が９０度以下に限定されているので、踏台６のベース４に対する回転の向きを設定しやすく、作業台１５を容易に位相が同一の状態あるいは９０度異なる状態にすることができる。また、作業者が作業台１５の位相の状態を容易に把握することができ、利便性が良い。
【００２５】
［第２実施形態］
図４は図１のＡ−Ａ線に沿う本発明の第２実施形態の使用時の状態を示す断面図であり、（ａ）図は踏台がベースに対して位相が同一のときの状態を示す図、（ｂ）図は踏台がベースに対して位相が９０度異なるときの状態を示す図である。
【００２６】
図４に示すように、本発明の第２実施形態が前述した第１実施形態と異なるのは、回転軸８を踏台６の中心からずらして設けたことであり、その他の構成は第１実施形態と同じである。
【００２７】
このように構成した本発明の第２実施形態によれば、図４（ｂ）に示すように、作業台１５の位相が異なる状態においてエレベータ用機器２と踏台６との間の間隔を小さくすることができるので、作業員が作業台１５から前に乗り出すことを防ぐことができると共に、作業台１５上からのエレベータ用機器２の点検作業を容易に行うことができる。
【符号の説明】
【００２８】
１  昇降路
２  エレベータ用機器
３  固定ベース
４  ベース
５  支柱
６  踏台
７  フック
８  回転軸
９ａ，９ｂ  ストッパ
１０，１１  支点
１５  作業台
１６  円板
２０  凹部
【図１】
2010241534.tif 000003
【図２】
2010241534.tif 000004
【図３】
2010241534.tif 000005
【図４】
2010241534.tif 000006